(57)【要約】【課題】内部に充填した土壌の表面周縁部が降雨の後に沈下し難く、土壌の表面にメッシュを敷設して使用した場合に、土壌表面とメッシュとの間に形成される空隙を可及的に小さくすることができ、風による土壌の飛散を抑制することができる植栽器、及び同植栽器の製造方法を提供する。【解決手段】上面開放箱形の容器の底面を、その周縁に沿って所定幅を残して切除して本体上部を形成する工程と、前記容器と同形状の容器からなる本体下部上に、前記本体上部を載置接着することにより、内側壁から内側方向へ略水平に張出した張出部を有する容器本体を形成する工程とを有する製造方法により、内部に土壌を充填して植物を植栽する植栽器を製造する。【選択図】図１
2009165360.tif 000002
【特許請求の範囲】
【請求項１】
上面開放箱形の容器本体内側壁から内側方向へ張出し、収容する土壌を下方から支持する張出部を有することを特徴とする植栽器。
【請求項２】
前記容器本体内に充填された土壌表面における周縁部を所定幅で全周にわたり被覆する内側メッシュと、
前記内側メッシュよりも網目が大きく、前記内側メッシュを含めて、前記容器本体上面開口を被覆するように配設した外側メッシュと、
を有することを特徴とする請求項１に記載の植栽器。
【請求項３】
前記外側メッシュにより、前記内側メッシュを含めて、前記容器本体の外周全面が包装されていることを特徴とする請求項２に記載の植栽器。
【請求項４】
前記外側メッシュは、種苗を植付けるためのスリットを有し、前記スリットの縁に樹脂加工が施されていることを特徴とする請求項２又は請求項３に記載の植栽器。
【請求項５】
前記外側メッシュ及び内側メッシュを貫通して取付けられ、前記容器本体同士を連結する連結具を備え、当該連結具により、隣接する容器本体同士を各容器本体の外側壁上部側で連結可能としたことを特徴とする請求項２〜４のいずれか１項に記載の植栽器。
【請求項６】
上面開放箱形の容器の底面を、その周縁から、少なくとも所定幅を残して切除して本体上部を形成する工程と、
前記容器と同形状の容器からなる本体下部上に、前記本体上部を載置することにより、内側壁から内側方向へ略水平に張出した張出部を有する容器本体を形成する工程と、
前記容器本体内に土壌を充填する工程と、
所定の熱収縮率を有し、前記容器本体の上端縁から内側へ折曲して前記土壌の周縁部を被覆可能な寸法に形成した内側メッシュにより前記容器本体の外側壁を筒状に包む工程と、
前記内側メッシュよりも熱収縮率が高く網目が大きい外側メッシュにより、前記内側メッシュを含めて、前記容器本体を包装する工程と、
前記外側メッシュ及び前記内側メッシュを加熱して熱収縮させることにより、前記外側メッシュを前記容器本体に密着させる工程と、
を有することを特徴とする植栽器の製造方法。
【請求項７】
上面開放箱形の容器の底面を、その周縁から、少なくとも所定幅を残して切除して本体上部を形成する工程と、
前記容器と同形状の容器からなる本体下部上に、前記本体上部を載置接着することにより、内側壁から内側方向へ略水平に張出した張出部を有する植栽器の容器本体を形成する工程と、
を有することを特徴とする植栽器の製造方法。
【請求項８】
上面開放箱形の容器本体内に土壌を充填する工程と、
所定の熱収縮率を有し、前記容器本体の上端縁から内側へ折曲して前記土壌の周縁部を被覆可能な寸法に形成した内側メッシュにより前記容器本体の外側壁を筒状に包む工程と、
前記内側メッシュよりも熱収縮率が高く網目が大きい外側メッシュにより、前記内側メッシュを含めて、前記容器本体を包装する工程と、
前記外側メッシュ及び前記内側メッシュを加熱して熱収縮させることにより、前記外側メッシュを前記容器本体に密着させる工程と、
を有することを特徴とする植栽器の製造方法。
【請求項９】
前記外側メッシュに形成する種苗を植付けるためのスリットと略同形状の樹脂フィルムを形成する工程と、
前記樹脂フィルムを前記外側メッシュに貼着する工程と、
前記樹脂フィルムの上から前記外側メッシュに切り込みを入れることにより、周縁に樹脂加工が施された前記スリットを形成する工程と、
を有することを特徴とする請求項６又は請求項８に記載の植栽器の製造方法。
【請求項１０】
前記外側メッシュに形成する種苗を植付けるためのスリットの形成予定位置に、前記スリットと略同形状に樹脂材を貼着する工程と、
前記樹脂材の上から前記外側メッシュに切り込みを入れることにより、周縁に樹脂加工が施された前記スリットを形成する工程と、
を有することを特徴とする請求項６又は請求項８に記載の植栽器の製造方法。
【発明の詳細な説明】
【技術分野】
【０００１】
本発明は、植栽器及び植栽器の製造方法に関するものであり、特に、ビルの屋上緑化を目的として使用する植栽器及び同植栽器の製造方法に関するものである。
【背景技術】
【０００２】
地球温暖化現象や、都心部におけるヒートアイランド現象の発生を抑制するために、近年、ビルなどの建造物の屋上に土壌を敷設して草木を植栽する屋上緑化が盛んに行われている。
【０００３】
屋上緑化においては、条例などにより、単位面積あたりに敷設する屋上緑化設備の重量に制限が定められている。そのため、屋上に敷設する土壌としては、比較的重量の軽い人工土壌が用いられている。
【０００４】
この人工土壌は、重量が軽いという利点がある反面、その軽さゆえ風により飛散しやすいという問題も併せ持っていた。特に、建造物の屋上は、強風にさらされることが多く、人工土壌が風により飛散しやすい環境である。
【０００５】
このように、屋上に敷設した人工土壌が風により飛散してしまうと、植栽した草木を良好に生育させることができなくなるおそれがあるだけでなく、飛散した人工土壌が地上に降り注いで、周辺環境に悪影響を及ぼすおそれもあった。
【０００６】
かかる問題を解決することを目的として、図７（ａ）に示すように、プランタ１０１に詰め込んだ人工土壌１０２の表面に、人工土壌１０２の飛散を防止する飛散防止材として、防錆メッシュ１０３を張設した屋上緑化用の植栽器１００が考案されている。（たとえば、特許文献１参照。）
【特許文献１】特開２００１−２３１３５２号公報
【発明の開示】
【発明が解決しようとする課題】
【０００７】
ところが、上記従来の植栽器１００では、プランタ１０１に詰め込んだ人工土壌１０２表面中央部からの人工土壌１０２の飛散は防止可能であるが、人工土壌１０２表面周縁部からの人工土壌１０２の飛散を防止することは困難であった。
【０００８】
すなわち、従来の植栽器１００では、人工土壌１０２をプランタ１０１の上面一杯まで詰め込んで、その表面に防錆メッシュ１０３を張設した後に、図７（ｂ）に示すように、人工土壌１０２に雨水１０４が降り注いだ場合、内部に多くの空気を含むことで軽量化を図っている人工土壌１０２では、内部に雨水１０４が浸み込む一方、内部の空気が人工土壌１０２の表面側へ移動した後、大気中に放出される。
【０００９】
このとき、人工土壌１０２の表面は、内部を上方へ移動する空気の力と、そのときに作用する表面張力とによりドーム状に隆起する。
【００１０】
その後、人工土壌１０２は、表面側から徐々に乾燥してゆき粘性を失うと、自重によって沈下する。このとき、人工土壌１０２の表面は、ドーム状の形状を保ったまま沈下するため、図７（ｃ）に示すように、人工土壌１０２の表面周縁部では、人工土壌１０２の表面と防錆メッシュ１０３との間に比較的大きな隙間１０５が形成されてしまう。
【００１１】
また、この隙間１０５は、人工土壌１０２を詰め込んだ状態でプランタ１０１を運搬する過程においても生じることがある。
【００１２】
このように隙間１０５が形成されると、図７（ｄ）に示すように、風が吹いた際、この隙間１０５内に風が吹き込み人工土壌１０２の飛散が発生する。
【００１３】
さらに、人工土壌１０２の表面と防錆メッシュ１０３との間に比較的大きな隙間１０５が形成されると、植栽した植物が、たとえば、イワダレソウ科の植物のように、枝分かれした茎を地表に張り巡らし、根を伸ばすのに好適な所を見つけて根を張ることにより群落を形成するような植物であった場合には、上記隙間１０５が形成された領域では根を張ることができずに、群落を形成することができず、結果として、人工土壌１０２の表面中央領域だけが緑化され、その周縁部を良好に緑化することができないおそれがあった。
【課題を解決するための手段】
【００１４】
そこで、請求項１に係る本発明では、上面開放箱形の容器本体内側壁から内側方向へ張出し、収容する土壌を下方から支持する張出部を有する植栽器を提供することとした。
【００１５】
また、請求項２に係る本発明では、請求項１に記載の植栽器において、前記容器本体内に充填された土壌表面における周縁部を所定幅で全周にわたり被覆する内側メッシュと、前記内側メッシュよりも網目が大きく、前記内側メッシュを含めて、前記容器本体上面開口を被覆するように配設した外側メッシュとを有することを特徴とする。
【００１６】
また、請求項３に係る本発明では、請求項２に記載の植栽器において、前記外側メッシュにより、前記内側メッシュを含めて、前記容器本体の外周全面が包装されていることを特徴とする。
【００１７】
また、請求項４に係る本発明では、請求項２又は請求項３に記載の植栽器において、前記外側メッシュは、種苗を植付けるためのスリットを有し、前記スリットの縁に樹脂加工が施されていることを特徴とする。
【００１８】
また、請求項５に係る本発明では、請求項２〜４のいずれか１項に記載の植栽器において、前記外側メッシュ及び内側メッシュを貫通して取付けられ、前記容器本体同士を連結する連結具を備え、当該連結具により、隣接する容器本体同士を各容器本体の外側壁上部側で連結可能としたことを特徴とする。
【００１９】
また、請求項６に係る本発明では、上面開放箱形の容器の底面を、その周縁から、少なくとも所定幅を残して切除して本体上部を形成する工程と、前記容器と同形状の容器からなる本体下部上に、前記本体上部を載置することにより、内側壁から内側方向へ略水平に張出した張出部を有する容器本体を形成する工程と、前記容器本体内に土壌を充填する工程と、所定の熱収縮率を有し、前記容器本体の上端縁から内側へ折曲して前記土壌の周縁部を被覆可能な寸法に形成した内側メッシュにより前記容器本体の外側壁を筒状に包む工程と、前記内側メッシュよりも熱収縮率が高く網目が大きい外側メッシュにより、前記内側メッシュを含めて、前記容器本体を包装する工程と、前記外側メッシュ及び前記内側メッシュを加熱して熱収縮させることにより、前記外側メッシュを前記容器本体に密着させる工程と、前記外側メッシュに種苗を植付けるためのスリットを形成する工程とを有する植栽器の製造方法を提供することとした。
【００２０】
また、請求項７に係る本発明では、上面開放箱形の容器の底面を、その周縁から、少なくとも所定幅を残して切除して本体上部を形成する工程と、前記容器と同形状の容器からなる本体下部上に、前記本体上部を載置接着することにより、内側壁から内側方向へ略水平に張出した張出部を有する植栽器の容器本体を形成する工程とを有する植栽器の製造方法を提供することとした。
【００２１】
また、請求項８に係る本発明では、上面開放箱形の容器本体内に土壌を充填する工程と、所定の熱収縮率を有し、前記容器本体の上端縁から内側へ折曲して前記土壌の周縁部を被覆可能な寸法に形成した内側メッシュにより前記容器本体の外側壁を筒状に包む工程と、前記内側メッシュよりも熱収縮率が高く網目が大きい外側メッシュにより、前記内側メッシュを含めて、前記容器本体を包装する工程と、前記外側メッシュ及び前記内側メッシュを加熱して熱収縮させることにより、前記外側メッシュを前記容器本体に密着させる工程とを有する植栽器の製造方法を提供することとした。
【００２２】
また、請求項９に係る本発明では、請求項６又は請求項８に記載の植栽器の製造方法において、前記外側メッシュに形成する種苗を植付けるためのスリットと略同形状の樹脂フィルムを形成する工程と、前記樹脂フィルムを前記外側メッシュに貼着する工程と、前記樹脂フィルムの上から前記外側メッシュに切り込みを入れることにより、周縁に樹脂加工が施された前記スリットを形成する工程とを有することを特徴とする。
【００２３】
また、請求項１０に係る本発明では、請求項６又は請求項８に記載の植栽器の製造方法において、前記外側メッシュに形成する種苗を植付けるためのスリットの形成予定位置に、前記スリットと略同形状に樹脂材を貼着する工程と、前記樹脂材の上から前記外側メッシュに切り込みを入れることにより、周縁に樹脂加工が施された前記スリットを形成する工程とを有することを特徴とする。
【発明の効果】
【００２４】
本発明によれば、内部に充填した土壌の表面周縁部が降雨の後に沈下し難くいので、土壌の表面にメッシュを敷設して使用した場合に、土壌表面とメッシュとの間に形成される空隙を可及的に小さくすることができ、風による土壌の飛散を抑制することができる植栽器を提供することができる。
【発明を実施するための最良の形態】
【００２５】
以下、本発明に係る植栽器の一実施形態について、図面を参照して具体的に説明する。
【００２６】
本実施形態の植栽器は、主にビルなどの建造物の屋上に複数個密接して敷設し、植物を植栽することによって、建造物の屋上緑化を行うために用いるものであるが、その用途は、屋上緑化に限定されるものではなく、たとえば、マンションのベランダや、海岸付近の住宅の庭など、強風にさらされやすく、土壌が飛散しやすい任意の場所を緑化するために用いることができるものである。
【００２７】
図１に示すように、この植栽器１は、本体上部２ａと本体下部２ｂとからなる容器本体２と、容器本体２の底面に敷設した防根シート３と、この防根シート３上に敷設した排水性と保水性とを備えた排水保水材４と、この排水保水材４上に敷設して容器本体２内に充填した人工土壌（以下、単に、「土壌５」という。）と、この容器本体２内に充填した土壌５表面における周縁部を所定幅で全周にわたり被覆する内側メッシュ６と、この内側メッシュ６よりも網目が大きく、内側メッシュ６を含めて、容器本体２上面開口を被覆するように配設した外側メッシュ７とを備えている。なお、図１中の符号８は、当該植栽器１に植栽した植物であり、符号９は、当該植栽器１に種苗を植付けるために外側メッシュ７に形成したスリットであり、符号１０は、スリット９の周縁部に設けた樹脂材である。
【００２８】
特に、この植栽器１が備える容器本体２は、図２に示すように、上面を開放した箱形状をしており、その内側壁略中段部分から内側方向へ張出し、収容した土壌５の表面側周縁部を下方から支持する張出部１１を備えている。なお、図２中の符号１２は、本体上部２ａの底面、及び、張出部１１に複数形成された水抜き孔である。
【００２９】
本実施形態では、この容器本体２をポリプロピレンなどの対候性に優れた樹脂により形成しており、容器本体２の平面視における寸法を６０ｃｍ×３０ｃｍとし、深さを略１０ｃｍとしている。なお、容器本体２の寸法は適宜変更してもよい。
【００３０】
このように、容器本体２は、内側壁中段に、内側へ張出したベランダ状の張出部１１を平面視環状に形成しているため、土壌５へ雨水が降り注いで土壌５の表面がドーム状に隆起した後、その表面が沈下する際、土壌５の周縁部分（容器本体２の内側壁近傍）においては、張出部１１の上側にある土壌５の重量が、張出部１１の下方にある土壌５にかかることがない。
【００３１】
これにより、土壌５の表面が沈下するときに、土壌５表面の周縁部は、土壌５表面の中央部ほど沈下しなくなり、その結果、土壌５表面の周縁部において、外側メッシュ７及び内側メッシュ６と土壌５表面との間に隙間が出来難くなり、この部分からの土壌５の飛散が抑制される。
【００３２】
また、この容器本体２底面に敷設する防根シート３は、排水性を有すると共に、植物８の根が当該防根シート３を破って貫通することを防止可能な防根特性を備えたフィルムにより構成している。
【００３３】
この防根シート３上に敷設する排水保水材４は、軽石により構成しており、本実施形態では、１〜１．５ｃｍの深さ（断面視における厚さ）で敷設している。軽石は、多孔質なため軽量且つ保水性及び排水性が高く、屋上緑化に適している。
【００３４】
このように、容器本体２の底面側に軽石を敷設しておくことによって、水やりの回数を低減できると共に、根腐れの発生も防止することができる。なお、本実施形態では、排水保水材４として、軽石を用いたが、排水保水材４はこれに限定するものではなく、軽量で且つ保水性及び排水性が高い部材であれば、他の任意の部材を用いることができ、例えば、コーラル（石灰化した珊瑚）などを用いてもよい。
【００３５】
また、この排水保水材４上に敷設する土壌５は、有機培養土に繊維などを混合した人工土により構成している。この土壌５を容器本体２に充填する場合には、容器本体２の上面一杯、若しくは、容器本体２の上面から土壌５が若干突出するまで土壌５を入れる。なお、本実施形態では、土壌５の深さ（断面視における厚さ）を、８ｃｍ〜１０ｃｍとなるようにしている。
【００３６】
また、この植栽器１が備える外側メッシュ７は、ポリエステルにより形成した芯線の周りに、軟質性（発砲性など）の塩化ビニルを被覆して形成した糸を編んでネット状にしたものであり、熱溶着性を有し、加熱することによって所定の熱収縮率で収縮するように構成している。
【００３７】
本実施形態では、この弾力性を有する軟質性の外側メッシュ７により、内側メッシュ６を含めて、容器本体２の外周全面を包装することによって、当該植栽器１を屋上などに敷設した際に、外側メッシュ７の容器本体２底面を被覆している部分が、滑り止めとして機能し、植栽器１の位置ずれを防止することができる。
【００３８】
また、植栽器１を複数個密接させて屋上などに敷設する場合には、外側メッシュ７の容器本体２外側壁を被覆している部分が、隣接する植栽器１の側面と当接して、隣接する植栽器１同士の位置ずれを防止する。
【００３９】
また、本実施形態では、外側メッシュ７の熱収縮率を内側メッシュ６の熱収縮率よりも大きく設計しており、外側メッシュ７の網目の大きさを、植物８の茎や根が通る大きさであって、内部の土壌５が飛散し難い大きさ（たとえば、５ｍｍ角）としている。
【００４０】
さらに、この外側メッシュ７は、容器本体２の上面開口部（土壌５表面）を被覆する領域に、種苗を植付けるための十文字形状のスリット９を複数備えている。このスリット９の内周縁には、スリット９の破れと捲れ上がりを防止するために、樹脂材１０からなる樹脂加工を施している。なお、ここでは、スリット９の形状を十文字形状としているが、これは一例にすぎず、種苗を植付け可能な大きさ形状であれば、任意の大きさ形状に変更することができる。
【００４１】
そして、この植栽器１を使用する場合には、各スリットから土壌５に植物８の種や苗を植付けて植栽する。本実施形態では、植栽する植物として、イワダレソウ科の植物８であるヒメイワダレソウの苗を植付けるようにしている。
【００４２】
このヒメイワダレソウは、多年生の植物で繊密性が高く、さらに、踏みつけに強く、栄養繁殖のみで増やすことが出来き、屋上緑化に適した植物８である。
【００４３】
そして、この植栽器１に植付けられたヒメイワダレソウ（植物８）は、枝分かれをしながら外側メッシュ７の表面に沿って茎を伸ばし、土壌５表面の水分を含んだ所から、外側メッシュ７の網目を通して土壌５内に根を張り、徐々に群落を広げながら成長する。
【００４４】
その後、植物８が土壌５の表面を覆うほどに成長すると、植物８の葉に遮られて、風が土壌５の表面に直接当たり難くなり、しかも、植物８の根が土壌５を留める働きをするため、風による土壌５の飛散がより一層抑制される。
【００４５】
さらに、この植栽器１では、上記のように、容器本体２の上部開口だけでなく、容器本体２の外周全面を外側メッシュ７で被覆包装しているため、植物８が根を張った状態において、強風が吹いた場合に、植物８が外側メッシュ７と共に根こそぎ吹き飛ばされることがない。
【００４６】
また、本実施形態の植栽器１では、前述のように、土壌５の表面中央部だけでなく、土壌５の表面周縁部においても、土壌５表面と外側メッシュ７との間にほとんど隙間が生じないので、植物８が広範囲に広がる前であっても、風による土壌５の飛散が起こりにくい。
【００４７】
しかも、土壌５の表面全体において、外側メッシュ７と土壌５表面との間に隙間ができにくいので、植物８が外側メッシュ７を通して、土壌５表面の任意の場所へ根を張り易い環境を作ることが出来き、土壌５の表面全体を良好に緑化することができる。
【００４８】
また、この植栽器１が備える内側メッシュ６は、外側メッシュ７と同様に、ポリエステルにより形成した芯線の周りに、軟質性（発砲性など）の塩化ビニルを被覆して形成した糸を編んでネット状にしたものである。
【００４９】
特に、この内側メッシュ６は、網目の大きさを、外側メッシュ７の網目よりも小さく（たとえば、２ｍｍ角に）設計すると共に、前述のように、容器本体２内に充填した土壌５表面における周縁部を所定幅で全周にわたり被覆するように配設している（図１参照）。
【００５０】
このように内側メッシュ６を配設することによって、短時間に多くの雨が降った際、植栽器１の底面側からだけでは排水できなくなった雨水が容器本体２の上端周縁から外部へ排水されることとなるが、このとき、比較的網目の小さい内側メッシュ６がフィルタとして機能して、容器本体２上端縁からの土壌５の流出を抑制することができる。
【００５１】
また、この内側メッシュ６は、外側メッシュ７と同様に熱溶着性を有し、加熱することによって熱収縮するように構成しているが、熱収縮率を外側メッシュ７の熱収縮率よりも低くなるように設計している。
【００５２】
このように、本実施形態では、外側メッシュ７の熱収縮率を比較的大きく、内側メッシュ６の熱収縮率を比較的小さく設計すると共に、上記のように内側メッシュ６を配設することによって、外側メッシュ７を張設したときに、外側メッシュ７の土壌５表面を被覆している領域に撓みが発生することを防止できるよう構成している。この撓み防止のしくみについては、後述する植栽器１の製造方法の説明において、詳述する。
【００５３】
次に、図３及び図４を参照して、本実施形態に係る植栽器１の製造方法について、具体的に説明する。
【００５４】
この植栽器１を製造する際には、まず、図３（ａ）に示すように、上面が開放された箱形の容器２ｃを２個用意する。特に、本実施形態では、これら同形状の２個の容器として、使用済みの育苗箱を用いている。容器２ｃとして使用する育苗箱としては、底面からの排水を可能とする複数の水抜き孔１２が形成されているものが好ましいが、水抜き孔１２が形成されていない場合には、少なくとも、防根シートを敷設する前に、水抜き孔１２を形成してもよい。
【００５５】
次に、図３（ｂ）に示すように、２個の容器２ｃのうち一方の容器２ｃの底面を、その周縁から、少なくとも所定幅を残して切除して本体上部２ａを形成する。このとき、底面を切断しない他方の容器２ｃが本体下部２ｂとなる。
【００５６】
次に、図３（ｃ）に示すように、本体下部２ｂ上に、本体上部２ａを載置する。このとき、本体下部２ｂの側壁上端と、本体上部２ａの側壁下端とを位置合わせして、本体下部２ｂ上に本体上部２ａを載置する。こうして、内側壁から内側方向へ略水平に張出した張出部１１を有する容器本体を形成する。なお、この工程において、本体下部２ｂと本体上部２ａとを接着固定してもよいが、本実施形態は、本体下部２ｂの側壁上端と、本体上部２ａの側壁下端の切欠部とを単純に嵌合するだけにしている。
【００５７】
このように、本実施形態では、廃棄処分となる使用済みの同形状の育苗箱（容器２ｃ）２個をリユースして、植栽器１の容器本体２を形成することができるので、資源の有効利用と産業廃棄物の減少とを促進することができる。なお、本実施形態では、同形状の２個の容器２ｃを用いて容器本体２を形成したが、図２に示した容器本体２を樹脂成型により一体形成してもよい。
【００５８】
次に、容器本体２の底面（本体下部２ｂの底面）に防根シート３を敷設した後、防根シート３上に排水保水材４を所定の厚さ（深さ）で敷設し、その後、排水保水材４上に土壌５を容器本体２の上面開口から若干突出するまで投入することによって、容器本体２内に土壌５を充填する。
【００５９】
次に、図３（ｅ）に示すように、所定の熱収縮率を有し、容器本体２の上端縁から内側へ折曲して土壌５の表面周縁部を被覆可能な寸法に形成した内側メッシュ６により容器本体２の外側壁を筒状に包む。その後、内側メッシュ６が重なり合う部分を熱溶着する。
【００６０】
次に、内側メッシュ６よりも熱収縮率が高く網目が大きい外側メッシュ７により、図４（ｆ）に示すように、内側メッシュ６を含めて、容器本体２を包装する。その後、これら全体を加熱処理することによって、図４（ｇ）に示すように、外側メッシュ７及び内側メッシュ６を熱収縮させて、外側メッシュ７を容器本体２に密着させる。
【００６１】
このとき、図４（ｈ）に示すように、容器本体２の側壁上端部近傍において、外側メッシュ７は、熱収縮して内側メッシュ６の上端部分を土壌５表面側へ押し曲げようとする。その一方で、内側メッシュ６は、上記のように、外側メッシュよりも熱収縮率が低いので、熱による変形度合いが小さく、元の形状を維持しようとして、外側メッシュ７から加えられる力の向きとは逆向きの力で、外側メッシュ７を押し戻そうとする。
【００６２】
その結果、外側メッシュ７の土壌５表面を被覆している部分は、容器本体２上部開口の周縁方向に引張られることとなり、撓みの発生を防止することができる。
【００６３】
本実施形態の植栽器１では、このように外側メッシュ７の土壌５表面を被覆している部分に撓みが発生することを防止することができるので、風による土壌５の飛散をより一層抑制することができるのである。
【００６４】
ここで、土壌表面を被覆したメッシュに撓みが発生した場合に、土壌が飛散する仕組みについて説明する。図５は、土壌５を充填したプランター２０の表面を、一枚のメッシュ７０で単純に被覆しただけの植栽器を示す断面視による説明図である。
【００６５】
図５（ａ）に示す植栽器は、土壌５を充填したプランター２０の上面開口に、一枚のメッシュ７０を単純に張設しただけであり、本実施形態の植栽器１のように、外側メッシュ７と内側メッシュ６との熱収縮率の違いを利用して、外側メッシュ７を容器本体２上部開口の周縁方向に引張る構成となっていないため、メッシュ７０の土壌５表面を被覆する部分に撓みが発生する。
【００６６】
このように、メッシュ７０に撓みが発生すると、図５（ｂ）に示すように、メッシュ７０と土壌５表面との間に隙間が生じてしまい、風が吹いた際、この隙間に風が入り込み土壌５を飛散させてしまう。
【００６７】
これに対し、本実施形態の植栽器１では、上記のように、外側メッシュ７の土壌５表面を被覆している部分に撓みが発生し難いため、外側メッシュ７と土壌５の表面との間に隙間ができ難く、風による土壌５の飛散をより一層抑制することができるのである。
【００６８】
そして、最後に、外側メッシュ７の土壌５表面を被覆している領域に、種苗を植付けるためのスリット９を形成して、植栽器１が完成する。
【００６９】
また、スリット９を形成する場合には、外側メッシュ７に形成するスリット９と略同形状に予め成形した熱溶着性を有する樹脂フィルムを形成しておく。そして、外側メッシュ７の土壌５表面を被覆している領域の所定位置に、この樹脂フィルムを熱溶着により貼着する。
【００７０】
その後、樹脂フィルムの上から外側メッシュ７に切り込みを入れることにより、周縁に樹脂材１０による破れ及び捲れ上がり防止の樹脂加工が施されたスリット９（図１参照）を形成する。なお、このスリット９の形成方法は一例に過ぎず、外側メッシュ７に所定形状のスリット９を形成可能な方法であれば、任意の方法によりスリット９を形成してもよい。
【００７１】
たとえば、外側メッシュ７におけるスリット９の形成予定位置に、予めスリット９と略同形状となるように樹脂材１０を熱溶着により貼着しておき、その後、樹脂材１０の上から外側メッシュ７に切り込みを入れることにより、周縁に樹脂材１０による破れ防止加工（樹脂加工）が施されたスリット９（図１参照）を形成することもできる。
【００７２】
このようにして製造した植栽器１を建造物の屋上緑化設備として敷設する場合には、屋上の緑化したい領域に、植栽器１を隙間なく密接させて配置して、植栽器群を形成し、この植栽器群の周縁を任意の方法で屋上の床面に固定し、その後、隣接する植栽器１同士を連結する。
【００７３】
特に、本実施形態の植栽器１は、外側メッシュ７及び内側メッシュ６を貫通して取付けられ、容器本体２同士を連結するための連結具（図示略）を備えており、この連結具により、隣接する容器本体２同士を各容器本体２の外側壁上部側で連結するように、構成している。
【００７４】
この連結具としては、たとえば、金属製のＣ字形状の線材を用いることができる。そして、この金属製のＣ字形状の線材を植栽器１に取付ける場合には、まず、Ｃ字形状の線材を外側メッシュ７及び内側メッシュ６に貫通させ、その後、このＣ字形状の線材を内周方向へ向けて押し曲げて、２巻きコイル形状とする。なお、この２巻きコイル形状とした連結具は、植栽器１の上端部における長辺に等間隔で２箇所、短辺の略中間位置に１箇所取り付ける。
【００７５】
そして、植栽器１同士を連結する際には、隣接する植栽器１に取付けられた２巻きコイル形状の連結具同士を、前述のＣ字形状の線材と同形状の線材で連結した後、同様に内周方向へ向けて押し曲げて、２巻きコイル形状とすることにより連結する。
【００７６】
このように、本実施形態の植栽器１では、植栽器群として敷設する場合に、植栽器群の周縁部を屋上に固定すると共に、各植栽器１同士を連結する際には、隣接する容器本体２同士を各容器本体２の外側壁上部側で連結具により連結するため、強風が吹きつけても、植栽器群が周縁部からめくれ上がることがなく、仮に、植栽器群の底面と屋上の床面との間に強風が吹き込んだとしても、その強風により植栽器群が波打つことがない。
【００７７】
しかも、前述のように、各植栽器１は、その外周全面を弾力性のある外側メッシュ７で被覆しているため、強風が吹いても植栽器１の底面と屋上の床面との間の摩擦力により、植栽器１が位置ずれを起こし難く、隣接する植栽器１の側面同士の接合面にも摩擦力が生じるので、植栽器１同士の位置ずれも発生し難い。
【００７８】
その上、この植栽器１では、容器本体２の外周全面を外側メッシュ７で被覆包装しているため、植物８が根を張った状態において、強風が吹いても、植物８が外側メッシュ７と共に根こそぎ吹き飛ばされることがない。
【００７９】
このように、本実施形態の植栽器１、及び、この植栽器１を複数個密接させて形成した植栽器群は、強風に強く、また、強風による土壌５の飛散を抑制することができ、植物８が根こそぎ吹き飛ばされることもないので、頻繁に台風が上陸する地域の建造物の屋上に設置した場合であっても、当該屋上を良好に緑化することができる。
【００８０】
また、この植栽器１によれば、当該植栽器１を設置した建造物の補修工事を行う際などには、容易に一時撤去、及び再設置を行うことができる。
【００８１】
上記した実施形態では、内側壁に張出部１１を有する容器本体２（図２参照）に土壌５を充填し、その外側面を内側メッシュ６で包むと共に、その外周を外側メッシュ７で包装後、加熱処理して（図１参照）、植栽器１を製造したが、外側メッシュの撓みだけを解消したい場合には、図２に示した形状の容器本体２を用いる必要はなく、たとえば、上部が開放された箱型形状の一般的なプランタに土壌５を充填し、その後、図３（ｅ）〜図４（ｆ）、図４（ｇ）に示した製造工程と同様の工程により、プランタの外側面を内側メッシュ６で包むと共に、その外周を外側メッシュ７で包装後、加熱処理して植栽器を製造してもよい。
【００８２】
さらに、土壌５表面の凹みだけを解消したい場合には、上記実施形態のように容器本体２を内側メッシュ６と外側メッシュ７とで二重に包む必要はなく、内側壁に張出部１１を有する容器本体２（図２参照）に土壌５を充填して植栽器を製造するか、若しくは、こうして製造した植栽器の容器本体２における少なくとも上部開口を被覆するように、外側メッシュ７を張設して植栽器を製造してもよい。
【００８３】
また、上記実施形態では、容器本体２として、内側壁から内側方向へ略水平なベランダ状に張出し、収容する土壌５を下方から支持する張出部１１を有する容器を例に挙げて説明したが、容器本体２に形成する張出部１１の形状は、これに限定するものではなく、少なくとも土壌５の周縁部を下方から支持可能な構造であれば、他の形状としてもよく、容器本体２として、たとえば、図６に示すものを用いてもよい。
【００８４】
図６は、植栽器１の容器本体２の変形例を示す一部断面を含む斜視図である。図６に示すように、この変形例に係る容器本体２は、図２に示した容器本体２の本体下部２ｂと同一形状をした容器２ｃからなる本体下部２ｂ上に、この本体下部２ｂと同一形状の容器２ｃの底面を部分的に切除することによって、容器２ｃの底面に所定形状（ここでは、円形）の穴１３を複数個（ここでは、８個）形成した本体上部２Ａを載置して構成している。なお、図６中の符号１２は、容器２ｃの底面に予め形成されている水抜き孔１２である。
【００８５】
このような容器本体２を形成する場合、特に、容器２ｃの底面に各穴１３を形成する際には、少なくとも容器２ｃ底面の周縁部を所定幅残し、各穴１３を容器２ｃの底面に均等に分散させて設けると共に、穴１３形成前の容器２ｃの底面積に対する穴１３形成後の底面積の百分率が４０〜６０％となるように、穴１３の大きさを調整する。
【００８６】
こうして形成した容器本体２に、防根シート３、排水保水材４、土壌５を順次収容した場合、本体上部２Ａ底面の穴１３が形成されていない部分が、その上部に積載された土壌５を下方から支持することとなるので、土壌５表面の周縁部の凹みを防止できるだけでなく、下層側の土壌５が上層側の土壌５の重量により圧縮されにくく、植物８が根を張るのに良好な土壌５環境を維持することができる。
【図面の簡単な説明】
【００８７】
【図１】本実施形態に係る植栽器の使用形態を示す一部断面を含む斜視図である。
【図２】本実施形態に係る植栽器の容器本体を示す一部断面を含む斜視図である。
【図３】本実施形態の植栽器の製造工程を示す断面視による説明図である。
【図４】本実施形態の植栽器の製造工程を示す断面視による説明図である。
【図５】メッシュが撓んでいた場合の問題を示す断面視による説明図である。
【図６】本実施形態に係る植栽器の容器本体の変形例を示す一部断面を含む斜視図である。
【図７】従来の植栽器を示す断面視による説明図である。
【符号の説明】
【００８８】
１  植栽器
２  容器本体
２ａ、２Ａ  本体上部
２ｂ  本体下部
３  防根シート
４  排水保水材
５  人工土壌
６  内側メッシュ
７  外側メッシュ
８  植物
９  スリット
１０  樹脂材
１１  張出部
１３  穴
【図１】
2009165360.tif 000003
【図２】
2009165360.tif 000004
【図３】
2009165360.tif 000005
【図４】
2009165360.tif 000006
【図５】
2009165360.tif 000007
【図６】
2009165360.tif 000008
【図７】
2009165360.tif 000009